(57)【特許請求の範囲】
【請求項１】
複数の応答器と非接触でデータ送受信を行う質問器を備えた非接触データ送受信システムにおいて、前記質問器は、前記応答器に対応する複数のアンテナと、このアンテナを順次選択するアンテナ切換回路と、選択されたアンテナに送信信号を供給する送信装置と、前記選択されたアンテナの受信信号を入力する受信装置と、前記送信装置を制御し、前記受信装置の受信信号をメモリに格納し、かつ、前記アンテナ切換回路を順序切換制御する主制御装置とを備えたことを特徴とする非接触データ送受信システム。
【請求項２】
上記アンテナ切換回路は、選択されたアンテナを送信装置および受信装置に接続させ、それ以外のアンテナは接続させないことを特徴とする請求項１記載の非接触データ送受信システム。
【請求項３】
上記アンテナは、ループアンテナであることを特徴とする請求項１記載の非接触データ送受信システム。
【請求項４】
上記アンテナは、インダクタンス、コンデンサ、抵抗の組み合わせの共振回路で構成されていることを特徴とする請求項１記載の非接触データ送受信システム。
【発明の詳細な説明】
【０００１】
【発明の属する技術分野】
この発明は、例えばロッカー側に設けた質問器と自己が携帯する応答器の間で非接触でデータを送受信し、ロッカー扉の施錠、解錠を行う非接触データ送受信システムに関するものである、
【０００２】
【従来の技術】
図７は従来の質問器の構成を示すブロック図であり、この質問器は多数の収納室を有するロッカーの各収納室の扉に設けられている。図において、この質問器１０１は主制御装置１１０、送信装置１２０、受信装置１３０とで構成されている。１０２はアンテナ、１０３は質問器１０１に対応する応答器であり、この応答器１０３は前記アンテナ１０２からの電波を受けて電圧を誘起するコイル、この誘起電圧により自己のＩＤデータを送信する送信装置等を内蔵している。１０４は伝送網１０５を介して質問器１０１に接続された例えばパーソナルコンピュータ等の上位機器である。
【０００３】
上記主制御装置１１０は、メモリ１１１、上記伝送網１０５に接続された通信回路１１２、データ制御・演算回路１１３とで構成されている。上記送信装置１２０はデータ変調回路１２１、電力増幅回路１２２、高周波回路１２３とで、また、上記受信装置１３０は高周波回路１２３、データ復調回路１３１とで構成されている。そして、高周波回路１２３に上記アンテナ１０２が接続されている。
【０００４】
次に動作について説明する。
質問器１０１の主制御装置１１０からの送信データは、送信装置１２０の中のデータ変調回路１２１から電力増幅回路１２２、高周波回路１２３を介して、アンテナ１０２から非接触で応答器１０３に送信される。この送信データを受信した応答器１０３は、内蔵するコイルにより電圧を誘起し、この誘起電圧により内蔵する送信装置から自己のＩＤデータを送信する。
【０００５】
一方、質問器１０１は、アンテナ１０２で受信した応答器１０３からのＩＤデータを、高周波回路１２３を介してデータ復調回路１３１に供給して復調した後、主制御装置１１０のデータ制御・演算回路１１３でデータ制御・演算し、その制御・演算結果をメモリ１１１に記憶する。また、データ制御・演算回路１１３における制御・演算結果は通信回路１１２を介して上位機器１０４に送信する。上位機器１０４は供給されたデータを受け取り、持っているＩＤデータとの照合などを行い、一致したときにはロッカー扉の施錠または解錠を行う。
【０００６】
【発明が解決しようとする課題】
従来の非接触データ送受信システムは以上のように構成されているので、質問器のアンテナと応答器とは１対１の関係で配置しなければならない。従って、ロッカーの複数の収納室の扉に質問器を設けた場合、この応答器に１対１に対応する複数の質問器の設置場所を確保するためのスペースが必要であり、また、複数の質問器の設置に伴い電源の確保および消費電力の増大を招く等の課題があった。
【０００７】
この発明は上記のような課題を解消するためになされたもので、省スペースと設備のコスト削減を実現する非接触データ送受信システムを得ることを目的とする。
【０００８】
【課題を解決するための手段】
この発明に係る非接触データ送受信システムは、複数の応答器と非接触でデータ送受信を行う質問器を備えた非接触データ送受信システムにおいて、前記質問器は、前記応答器に対応する複数のアンテナと、このアンテナを順次選択するアンテナ切換回路と、選択されたアンテナに送信信号を供給する送信装置と、前記選択されたアンテナの受信信号を入力する受信装置と、前記送信装置を制御し、前記受信装置の受信信号をメモリに格納し、かつ、前記アンテナ切換回路を順序切換制御する主制御装置とを備えたものである。
【０００９】
この発明に係る非接触データ送受信システムのアンテナ切換回路は、上記アンテナ切換回路は、選択されたアンテナを送信装置および受信装置に接続させ、それ以外のアンテナは接続させないようにしたものである。
【００１０】
この発明に係る非接触データ送受信システムの上記アンテナは、ループアンテナで構成したものである。
【００１１】
この発明に係る非接触データ送受信システムの上記アンテナは、インダクタンス、コンデンサ、抵抗の組み合わせの共振回路で構成したものである。
【００１２】
【発明の実施の形態】
以下、この発明の実施の一形態を説明する。
実施の形態１．
図１はこの発明の実施の形態１による非接触データ送受信システムの全体の構成図を示すもので、図１において、１は多数の収納室を有するロッカー毎に設けた質問器、２−１〜２−ｎは収納室扉のそれぞれに設けたアンテナ、３−１〜３−ｎはアンテナ２−１〜２−ｎに対応する応答器（図２参照）であり、この応答器３−１〜３−ｎは前記アンテナ２−１〜２−ｎからの電波を受けて電圧を誘起するコイル、この誘起電圧により自己のＩＤデータを送信する送信装置等を内蔵している。４は伝送網５を介して質問器１に接続された例えばパーソナルコンピュータ等の上位機器である。
【００１３】
図２は上記質問器１の構成を示すブロック図であり、図において、主制御装置１０、送信装置２０、受信装置３０、アンテナ２−１〜２−ｎの１つを選択動作させるアンテナ切換回路４０とで構成されている。そして、上記主制御装置１０は、メモリ１１、上記上位機器４に伝送網５を介して接続された通信回路１２、データ制御・演算回路１３とで構成されている。
【００１４】
上記送信装置２０はデータ変調回路２１、電力増幅回路２２、高周波回路２３とで、また、上記受信装置３０は高周波回路２３、データ復調回路３１とで構成されている。そして、上記アンテナ切換回路４０の共通端子（図示せず）側には高周波回路２３が、複数の切換端子（図示せず）側にはそれぞれアンテナ２−１〜２−ｎが接続されている。
【００１５】
上記アンテナ２−１〜２−ｎは、図３に示すループアンテナ、または、図４に示すコンデンサＣ、インダクタンスＬ、抵抗Ｒを組み合わせた共振回路よりなるアンテナ等を用いる。
【００１６】
次に動作について説明する。
図５は、質問器１の主制御装置１０がアンテナ切換回路４０を切り換えて順次アンテナ２−１〜２−ｎを選択し、このアンテナ２−１〜２−ｎと応答器３−１〜３−ｎとの交信動作を時間の経過とともに示した図である。
【００１７】
まず、質問器１は主制御装置１０が送信装置２０を制御して送信データをアンテナ切換回路４０に供給し、この状態において、主制御装置１０がアンテナ切換回路４０を切り換えて、アンテナ２−１〜２−ｎを順次に選択し、選択されたアンテナから上記送信データを電波として放出する。
【００１８】
この状態において、応答器３−１〜３−ｎの１つを持った人がロッカーに近づくと、上記の電波が応答器内のコイルに作用して該コイルに電圧を誘起し、この誘起電圧に基づいて送信器を作動させ、自己に特定されたＩＤデータを送信する。
【００１９】
一方、質問器１は選択されたアンテナによって上記ＩＤデータを受信し、このＩＤデータを高周波回路２３を介してデータ復調回路３１により復調した後、主制御装置１０のデータ制御・演算回路１３でデータ制御・演算し、その制御・演算結果をメモリ１１に記憶する。また、制御・演算結果は伝送網５を介し上位機器４に送信する。上位機器４は供給されたＩＤデータを受け取り、予め有しているＩＤデータとの照合を行い、一致したときにはロッカー扉の施錠または解錠を行う。また、同様のことを質問器１自体で行ってもよい。
【００２０】
なお、上記アンテナ切換回路４０で選択されたアンテナは、送信装置２０および受信装置３０に接続されるが、アンテナ切換回路４０で選択されなかった他のアンテナは、送信装置２０および受信装置３０に接続されず不活性状態となる。
【００２１】
上記アンテナ２−１〜２−ｎを切り換える順序（アンテナを選択する順番）は、図６に示したように、いくつかの順序例えば
（１）アンテナアドレスの昇順
（２）アンテナアドレスの奇数の昇順、その後偶数の昇順
（３）アンテナアドレスの降順
（４）アンテナアドレスの偶数の昇順、その後奇数の昇順
を主制御装置１２内のメモリ２１に記憶しておき、どの順序でアンテナ２−１〜２−ｎを切り換えるかをあらかじめ選択する。
【００２２】
【発明の効果】
以上のように、この発明によれば、質問器に少なくとも１つ以上のアンテナを設け、その１つのアンテナをアンテナ切換回路で選択して送信装置および受信装置と電気的に接続するように構成したので、設置場所は１つの質問器を設置できるだけ確保すればよいため、省スペースが実現できる。また、複数の応答器に対応してそれぞれ質問器を設置する必要がないため、設備のコスト削減を実現できるという効果がある。
【００２３】
また、この発明によれば、アンテナ切換回路により選択されたアンテナを送信装置および受信装置に接続させ、それ以外のアンテナは接続させないように構成したので、応答器との交信を１対１で行う。この結果、隣接するアンテナと相互干渉することなく、応答器との交信を行うことができるため、応答器との交信が確実となり、高信頼性を得ることができる効果がある。
【００２４】
さらに、この発明によれば、上記アンテナは、ループアンテナまたは、インダクタンス、コンデンサ、抵抗の組み合わせの共振回路で構成したので、アンテナの配線を簡略化することができ、設置時の工数を削減することができる効果がある。
【図面の簡単な説明】
【図１】この発明の実施の形態１による非接触データ送受信システムの構成図である。
【図２】この非接触データ送受信システムにおける質問器の構成を示すブロック図である。
【図３】ループアンテナを示した斜視図である。
【図４】アンテナを構成する共振回路図である。
【図５】質問器の主制御装置が複数のアンテナに対する処理を時間の経過とともに示した図である。
【図６】アンテナ切換順序を示す説明図である。
【図７】従来の非接触データ送受信システムの構成図である。
【符号の説明】
１  質問器
２−１〜２−ｎ  アンテナ
３−１〜３−ｎ  応答器
４  上位機器
５  伝送網
１０  主制御装置
１１  メモリ
１２  通信回路
１３  データ制御・演算回路
２０  送信装置
２１  データ変調回路
２２  電力増幅回路
２３  高周波回路
３０  受信装置
３１  データ復調回路
１０１  質問器
１０２  アンテナ
１０３  応答器
１０４  上位機器
１１０  主制御装置
１１１  メモリ
１１２  通信回路
１１３  データ制御・演算回路
１２０  送信装置
１２１  データ変調回路
１２２  電力増幅回路
１２３  高周波回路
１３０  受信装置
１３１  データ復調回路
【図１】
0003708395.tif 000002
【図２】
0003708395.tif 000003
【図３】
0003708395.tif 000004
【図４】
0003708395.tif 000005
【図５】
0003708395.tif 000006
【図６】
0003708395.tif 000007
【図７】
0003708395.tif 000008